(57)【要約】【課題】騒音の発生が抑制される紙送り検知装置を提供する。【解決手段】紙送り検知部１は、用紙に接触する接触子３と接触子の動きを検知する光学センサ本体部７を備えている。接触子３は支持体部９に軸支された軸５に回動可能に支持されている。接触子３の一端側には、用紙に接触する接触部３ａが設けられ、軸５を挟んで接触部３ａと反対側には遮光部３ｂが設けられている。その接触子３は、接触子３の接触部３ａ側の部分が支持体部９のストッパ１４に接触するように、軸５に装着されたねじりコイルバネ１１によって矢印４０に示す向きに付勢されている。ストッパ１４は、肉厚の薄い樹脂からなるＬ字状の片持ちのリブ１３として形成されている。【選択図】図３
2007238204.tif 000002
【特許請求の範囲】
【請求項１】
紙が送られたことを検知するための紙送り検知装置であって、
所定の軸部と、
前記軸部を軸支する支持体部と、
前記軸部の回りに所定の向きの付勢力により付勢され、紙送りが行われていない状態では、前記付勢力によって第１の位置に位置し、紙送りが行われている状態では、送られる紙が接触して前記付勢力に抗して前記軸部の回りに回動することにより前記第１の位置とは異なる第２の位置に位置する接触子と、
所定の光を発する発光部および前記発光部と間隔を隔てて配設され、前記発光部から発せられる光を受光する受光部を含むセンサ本体部と、
前記支持体部に設けられ、紙が送られた後に前記付勢力によって前記第２の位置から前記第１の位置へ戻される前記接触子を受止めるストッパと
を有し、
前記接触子は、
紙の搬送経路を紙面と交差する態様で横切るように前記軸部から延在して紙に接触する接触部と、
前記軸部を挟んで前記接触部とは反対側に位置し、前記第１の位置では前記発光部と前記受光部との間に位置して前記発光部から発せられる光を遮り、前記第２の位置では前記発光部から発せられる光を遮らない遮光部と
を含み、
前記ストッパは、前記第２の位置から前記第１の位置へ戻されるときの前記接触子の衝撃を和らげるための片持ちのリブを備えた、紙送り検知装置。
【請求項２】
紙が送られたことを検知するための紙送り検知装置であって、
所定の向きの付勢力により付勢され、紙送りが行われていない状態では、前記付勢力によって所定の第１の位置に位置し、紙送りが行われている状態では、送られる紙が接触することにより前記付勢力に抗して回動することで前記第１の位置とは異なる第２の位置に位置する接触子と、
前記接触子を回動可能に支持する支持体部と
を備え、
前記接触子および前記支持体部のいずれか一方には、紙が送られた後に前記接触子が前記付勢力によって前記第２の位置から前記第１の位置に戻されるときの衝撃を吸収するための弾性部が設けられた、紙送り検知装置。
【請求項３】
前記弾性部は、前記支持体部から前記接触子の側に向かって形成されたＬ字状の片持ちのリブ部材を含む、請求項２記載の紙送り検知装置。
【請求項４】
前記弾性部は、前記接触子から前記支持体部の側に向かって形成されたＬ字状の片持ちのリブ部材を含む、請求項２記載の紙送り検知装置。
【請求項５】
前記弾性部は、
前記接触子に形成され、前記支持体部の側に向かって突出した突出部と、
前記支持体部に互いに間隔を隔てて形成され、前記突出部を受入れる受入れ部と
を含む、請求項２記載の紙送り検知装置。
【発明の詳細な説明】
【技術分野】
【０００１】
本発明は紙送り検知装置に関し、特に、紙に直接接触することによって紙が送られたことを検知する紙送り検知装置に関するものである。
【背景技術】
【０００２】
プリンタ装置に代表される印字装置等では、給紙される用紙や印刷された用紙が搬送機構によって搬送されていることを検知するために紙送り検知装置が取り付けられている。そのような、紙送り検知装置の一例として、特許文献１に開示された紙送り検知装置について説明する。
【０００３】
図１２に示すように、紙送り検知装置１０１では、ハウジング１０９に設けられたブラケット１０４に用紙検知片１０３の基部となる支軸部１０５が回動可能に取付けられている。また、ハウジング１０９にはスイッチセンサ１０７が取付けられている。スイッチセンサ１０７は光スイッチと遮光レバーとによって構成される。支軸部１０５には、用紙検知片１０３を矢印１４０に示す方向に付勢するためのねじりコイルバネ１１１が装着されている。用紙が搬送されていない状態では、ねじりコイルバネ１１１の付勢力によって、用紙検知片１０３は実線に示すように、用紙が搬送される経路を紙面１２０と交差する態様で横切るように位置する（第１の位置）。
【０００４】
一方、用紙が搬送されている状態では、図１３に示すように、搬送される用紙（矢印１４５）によって用紙検知片１０３はねじりコイルバネ１１１の付勢力に抗して支軸部１０５の回りに矢印１４１に示す向きに回動して、実線に示すように倒れた状態になる（第２の位置）。用紙検知片１０３が第１の位置では、スイッチセンサ１０７の遮光レバーが光を遮る位置に位置する。用紙検知片１０３が第２の位置では、遮光レバーは光を遮らない位置に位置する。こうして、光が遮られているか否かをスイッチセンサ１０７で検知することで用紙が送られていることが検知される。従来の紙送り検知装置１０１は上記のように構成される。
【特許文献１】登録実用新案第３０９６５１８号公報
【発明の開示】
【発明が解決しようとする課題】
【０００５】
しかしながら、従来の紙送り検知装置１０１では以下のような問題点があった。上述したように、用紙検知片１０３は支軸部１０５の回りにねじりコイルバネ１１１によって常に第１の位置になるように付勢されている。そのため、図１３に示すように、用紙が搬送された後では、用紙検知片１０３はその付勢力によって矢印１４２に示すように第２の位置から第１の位置に戻され、このとき、用紙検知片１０３の突出部分１０３ａがハウジング１０９に設けられた当たり面１１４に突き当たって音が発生するという問題があった。
【０００６】
特に、この音は、搬送機構のモータが発する音と比べると振動数が比較的高く、また、用紙が連続して搬送される場合には、この音もその搬送に合わせて連続して発生するため、耳障りな騒音となることがあった。
【０００７】
本発明は、上記問題点を解決するためになされたものであり、その目的は、騒音の発生が抑制される紙送り検知装置を提供することである。
【課題を解決するための手段】
【０００８】
本発明に係る紙送り検知装置は、紙が送られたことを検知するための紙送り検知装置であって、所定の軸部と支持体部と接触子とセンサ本体部とストッパとを有している。支持体部は軸部を軸支する。接触子は、軸部の回りに所定の向きの付勢力により付勢され、紙送りが行われていない状態では、付勢力によって第１の位置に位置し、紙送りが行われている状態では、送られる紙が接触して付勢力に抗して軸部の回りに回動することにより第１の位置とは異なる第２の位置に位置する。センサ本体部は、所定の光を発する発光部およびその発光部と間隔を隔てて配設され、発光部から発せられる光を受光する受光部を含んでいる。ストッパは、支持体部に設けられ、紙が送られた後に付勢力によって第２の位置から第１の位置へ戻される接触子を受止める。そして、接触子は、接触部と遮光部とを含んでいる。接触部は、紙の搬送経路を紙面と交差する態様で横切るように軸部から延在して紙に接触する。遮光部は軸部を挟んで接触部とは反対側に位置し、第１の位置では発光部と受光部との間に位置して発光部から発せられる光を遮り、第２の位置では発光部から発せられる光を遮らない。ストッパは、第２の位置から第１の位置へ戻されるときの接触子の衝撃を和らげるための片持ちのリブを備えている。
【０００９】
この構成によれば、ストッパが片持ちのリブを備えていることで、用紙が搬送された後に、付勢力によって接触子が第２の位置から第１の位置に戻されて、接触子の接触部側の部分がストッパに衝突する際の衝撃が片持ちのリブによって和らげられることになる。その結果、接触子がストッパに衝突する際の衝撃音を抑制することができ、また、その衝撃音の振動数を下げて耳障りな騒音を低減することができる。
【００１０】
本発明に係る他の紙送り検知装置は、紙が送られたことを検知するための紙送り検知装置であって、接触子と支持体部とを備えている。接触子は、所定の向きの付勢力により付勢され、紙送りが行われていない状態では、付勢力によって所定の第１の位置に位置し、紙送りが行われている状態では、送られる紙が接触することにより付勢力に抗して回動することで第１の位置とは異なる第２の位置に位置する。支持体部はその接触子を回動可能に支持する。そして、接触子および支持体部のいずれか一方には、紙が送られた後に接触子が付勢力によって第２の位置から第１の位置に戻されるときの衝撃を吸収するための弾性部が設けられている。
【００１１】
この構成によれば、接触子および支持体部のいずれか一方に弾性部が設けられていることで、用紙が搬送された後に、付勢力によって接触子が第２の位置から第１の位置に戻されて、接触子の接触部側の部分がストッパに衝突する際の衝撃が弾性部材によって和らげられることになる。その結果、接触子がストッパに衝突する際の衝撃音を抑制することができ、また、その衝撃音の振動数を下げて耳障りな騒音を低減することができる。
【００１２】
その弾性部材として、具体的には、支持本体から接触子の側に向かって形成されたＬ字状の片持ちのリブ部材や、接触子から支持体部の側に向かって形成されたＬ字状の片持ちのリブ部材がある。また、接触子に形成されて支持体部の側に向かって突出した突出部と、支持体部に互いに間隔を隔てて形成されて突出部を受入れる受入れ部とを含むものがある。
【発明を実施するための最良の形態】
【００１３】
本発明の実施の形態に係る紙送り検知装置として、レーザプリンタ装置に適用される紙送り検知装置（紙送り検知部）を例に挙げて説明する。
【００１４】
まず、図１に示すように、レーザプリンタ装置２０では、筐体２１内には、所定の用紙に画像を印刷するためのトナーを転写する感光体２２が配設されている。その感光体２２に向けて、所定の画像信号に基づいてレーザ光線を照射するレーザスキャニングユニット２４が配設されている。また、感光体２２と対向するようにトナーを供給するカートリッジ２３が配設されている。感光体２２の上方には、用紙に転写されたトナーを定着するための定着ユニット２５が配設されている。筐体２１の前面側下部には、用紙を給紙する給紙口２６が設けられ、筐体２１の上面部分には、画像等の印刷が行われた用紙を排紙する排紙口２７が設けられている。
【００１５】
そして、紙送り検知装置は、このレーザプリンタ装置２０では、紙送り検知部１として定着ユニット２５から送り出される用紙を検知するために定着ユニット２５の用紙排出側に設けられている。その紙送り検知部１では、図２に示すように、定着ユニット２５から用紙３０が送り出されると、後述するように、所定の付勢力によって付勢されている接触子が回動し、用紙が送り出された後にはその付勢力によって接触子が再びもとの位置に戻され、この接触子の回動を光学センサ本体部が検知することによって紙送りが検知されることになる。
【００１６】
次に、その紙送り検知部１の構造について詳しく説明する。図３に示すように、紙送り検知部１は、送られる用紙に接触する接触子３とその接触子の動き（回動）を検知する光学センサ本体部７を備えて構成される。光学センサ本体部７は、発光部７ａと受光部７ｂを含み、発光部７ａは受光部７ｂへ向けて所定の光を発光する。受光部７ｂは、発光部７ａと間隔を隔てて配設されて発光部７ａから発せられる光を受光する。
【００１７】
接触子３は筐体の支持体部９に軸支された軸５に回動可能に支持されている。接触子３の一端側には、送られる用紙に接触する接触部３ａが設けられている。軸５を挟んでその接触部３ａと反対側には遮光部３ｂが設けられている。後述するように、用紙が送られていない第１の位置では、遮光部３ｂは発光部７ａと受光部７ｂとの間に位置して、発光部７ａから発せられる光を遮り、用紙が送られている第２の位置では、発光部７ａから発せられる光を遮らない位置に位置することになる。接触子３は、接触子３の接触部３ａ側の部分が支持体部９のストッパ１４に接触するように、軸５に装着されたねじりコイルバネ１１によって矢印４０に示す向きに付勢されている。
【００１８】
その接触子３が接触するストッパ１４は、Ｌ字状の片持ちのリブ１３として形成されている。リブ１３は、たとえばＡＢＳ樹脂（Acrylonitrile Butadiene Styrene）あるいはＨＩＰＳ（High Impact Poly Styrene）樹脂等の耐衝撃性がある肉厚の薄い樹脂から形成されていることが望ましい。
【００１９】
次に、上述した紙送り検知部１を備えたレーザプリンタ装置２０による一連の印刷処理と、その印刷処理における紙送り検知部１の動作について説明する。まず、図１に示すように、レーザプリンタ装置２０の給紙口２６から給紙された用紙３０は感光体２２へ送られる。感光体２２には、レーザスキャニングユニット２４により画像信号に基づいた所定のレーザ光線が照射され、用紙３０が感光体２２を通過する際に、そのレーザ光線の照射に基づいて用紙３０にトナーが転写される。トナーが転写された用紙３０は定着ユニット２５へ送られる。定着ユニット２５では、約２００℃程度の温度にてトナーを用紙３０に定着させる処理が施される。定着処理が完了した用紙３０は定着ユニット２５から送り出されて排紙口２７から排紙される。このようにして、レーザプリンタ装置２０による用紙３０への一連の印刷処理が完了する。
【００２０】
次に、この一連の印刷処理において、紙送り検知部１の動作について説明する。まず、用紙が送られていない状態では、図３に示すように、接触子３はねじりコイルバネ１１の付勢力によって付勢されて、接触子３の接触部３ａ側の部分が支持体部９のストッパ１４に接触している状態（第１の位置）にある。また、この状態では、接触子３の遮光部３ｂは発光部７ａから発せられる光を遮蔽して、発光部７ａから発せられる光が受光部よって受光されない状態にある。
【００２１】
次に、図４に示すように、画像等が印刷されて定着処理が施された用紙３０が矢印４５に示すように定着ユニット２５（図１、図２参照）から送り出されようとすると、送り出される用紙３０が接触子３の接触部３ａに接触して接触部３ａを押し上げ、ねじりコイルバネ１１の付勢力に抗して接触子３が矢印４１に示す向きに回動する。この接触子３の回動に伴って、接触子３の遮光部３ｂは下方に下がり、発光部７ａから発せられる光が受光部７ｂによって受光される状態になる。この状態（第２の位置）は、接触子３が用紙３０に接触している間保持される。
【００２２】
そして、用紙３０が搬送されて用紙３０の後端部が接触子３を離れると、図５に示すように、接触子３はねじりコイルバネ１１の付勢力によって矢印４２に示す向きに回動して、接触子３の接触部３ａ側の部分がストッパ１４に当たり第１の位置に戻される。こうして接触子３が第１の位置に戻されると、遮光部３ｂが発光部７ａから発せられる光を遮る状態になる。
【００２３】
紙送り検知部１では、用紙３０の搬送に伴って接触子３を回動させ、その接触子３の状態（位置）を、接触子３の遮光部３ｂが発光部７ａから発せられる光を遮る状態（第１の位置）にあるのか、光を遮らない状態（第２の位置）にあるのかを光学センサ本体部７によって把握することで、用紙３０が搬送されていることが検知される。
【００２４】
上述したレーザプリンタ装置２０の紙送り検知部１では、ストッパ１４として耐衝撃性を有する樹脂からなる片持ちのリブ１３が形成されている。これにより、用紙３０が搬送された後に、ねじりコイルバネ１の付勢力によって接触子３が第２の位置から第１の位置に戻されて、接触子３の接触部３ａ側の部分がストッパ１４に衝突する際の衝撃が片持ちのリブ１３によって和らげられることになる。その結果、接触子３がストッパ１４に衝突する際の衝撃音を抑制することができ、また、その衝撃音の振動数を下げて耳障りな騒音を低減することができる。
【００２５】
変形例１
上述したレーザプリンタ装置２０の紙送り検知部１では、片持ちのリブ１３を筐体の支持体部９に設けた場合を例に挙げて説明した。ここでは、そのような片持ちのリブを接触子に設けた場合を例に挙げて説明する。すなわち、図６に示すように、接触子３の接触部３ａ側の部分にＬ字状の片持ちのリブ１３が形成されている。
【００２６】
一方、支持体部９には、片持ちのリブ１３を受止めるストッパ１４が形成されている。リブ１３とストッパ１４とは、接触子３に支持されていない側のリブ１３の端部の部分がストッパ１４に接触するように配設されている。なお、これ以外の構成については上述した紙送り検知部１の構成と同様なので、同一部材には同一符号を付しその説明を省略する。
【００２７】
次に、上述した紙送り検知装置の動作について説明するが、この紙送り検知部１の動作も前述した紙送り検知部１の動作と同様なので、ここでは、主に接触子３のリブ１３側部分の動作を中心に説明する。まず、用紙が送られていない状態では、図６に示すように、接触子３はねじりコイルバネ１１の付勢力によって付勢されて、接触子３のリブ１３は支持体部９のストッパ１４に接触している状態（第１の位置）にある。
【００２８】
次に、図７に示すように、用紙３０が矢印４５に示すように定着ユニットから送り出されようとすると、送り出される用紙３０が接触子３の接触部３ａに接触して接触部３ａを押し上げ、ねじりコイルバネ１１の付勢力に抗して接触子３が矢印４１に示す向きに回動する（第２の位置）。そして、用紙３０が搬送されて用紙３０の後端部が接触子３を離れると、図８に示すように、接触子３はねじりコイルバネ１１の付勢力によって矢印４２に示す向きに回動して、接触子３のリブ１３がストッパ１４に当たり第１の位置に戻される。
【００２９】
上述したレーザプリンタ装置２０の紙送り検知部１では、接触子３に片持ちのリブ１３が形成されていることで、用紙３０が搬送された後に、ねじりコイルバネ１の付勢力によって接触子３が第２の位置から第１の位置に戻されて、接触子３のリブ１３がストッパ１４に衝突する際の衝撃が片持ちのリブ１３によって和らげられることになる。その結果、接触子３がストッパ１４に衝突する際の衝撃音を抑制することができ、また、その衝撃音の振動数を下げて耳障りな騒音を低減することができる。
【００３０】
変形例２
ここでは、接触子がストッパに衝突する際の衝撃を和らげる構造のさらに他の例について説明する。すなわち、図９に示すように、接触子３の接触部３ａ側に支持体部９の側に向かって突出した突部１５が形成されている。一方、支持体部９には、突部１５を挟み込むように受入れる１対のリブ１６が形成されている。なお、これ以外の構成については上述した紙送り検知部１の構成と同様なので、同一部材には同一符号を付しその説明を省略する。
【００３１】
次に、上述した紙送り検知装置の動作について説明するが、この紙送り検知部１の動作も前述した紙送り検知部の動作と同様なので、ここでは、主に接触子３のリブ１３側部分の動作を中心に説明する。まず、用紙が送られていない状態では、図９に示すように、接触子３はねじりコイルバネ１１の付勢力によって付勢されて、接触子３の突部１５は１対のリブ１６に受入れられた状態（第１の位置）にある。
【００３２】
次に、図１０に示すように、用紙３０が矢印４５に示すように定着ユニットから送り出されようとすると、送り出される用紙３０が接触子３の接触部３ａに接触して接触部３ａを押し上げ、ねじりコイルバネ１１の付勢力に抗して接触子３が矢印４１に示す向きに回動する（第２の位置）。そして、用紙３０が搬送されて用紙３０の後端部が接触子３を離れると、図１１に示すように、接触子３はねじりコイルバネ１１の付勢力によって矢印４２に示す向きに回動して、接触子３の突部１５が１対のリブ１６の間に受入れられて第１の位置に戻される。
【００３３】
上述したレーザプリンタ装置２０の紙送り検知部１では、接触子３に突部１５が形成され、支持体部９に対向するように配設されてこれを受入れる１対のリブ１６が形成されていることで、用紙３０が搬送された後に、ねじりコイルバネ１の付勢力によって接触子３が第２の位置から第１の位置に戻されて、接触子３の突部１５が支持体部９に衝突する際の衝撃が１対のリブ１６に受入れられることで和らげられることになる。その結果、接触子３が支持体部９に衝突する際の衝撃音を抑制することができ、また、その衝撃音の振動数を下げて耳障りな騒音を低減することができる。
【００３４】
なお、上述した紙送り検知装置として、レーザプリンタ装置に適用される紙送り検知部を例に挙げて説明したが、この紙送り検知装置はレーザプリンタ装置に限られず、たとえばインクジェットプリンタ装置等の他の形態のプリンタ装置にも適用することが可能である。また、この紙送り検知装置は、プリンタ装置に限られず、ファクシミリ装置やコピー装置等の用紙を搬送する機構を備えた装置にも幅広く適用することが可能である。
【００３５】
今回開示された実施の形態は例示であってこれに制限されるものではない。本発明は上記で説明した範囲ではなく、特許請求の範囲によって示され、特許請求の範囲と均等の意味および範囲でのすべての変更が含まれることが意図される。
【図面の簡単な説明】
【００３６】
【図１】本発明の実施の形態に係る紙送り検知装置が適用されるレーザプリンタ装置を示す分解斜視図である。
【図２】同実施の形態において、図１に示すレーザプリンタ装置において用紙が送られる様子を示す分解斜視図である。
【図３】同実施の形態において、図１に示すレーザプリンタ装置に適用される紙送り検知部を示す部分拡大斜視図である。
【図４】同実施の形態において、図３に示す紙送り検知部の動作を説明するための第１の部分拡大斜視図である。
【図５】同実施の形態において、図３に示す紙送り検知部の動作を説明するための第２の部分拡大斜視図である。
【図６】同実施の形態において、変形例１に係る紙送り検知部を示す部分拡大斜視図である。
【図７】同実施の形態において、図６に示す紙送り検知部の動作を説明するための第１の部分拡大斜視図である。
【図８】同実施の形態において、図６に示す紙送り検知部の動作を説明するための第２の部分拡大斜視図である。
【図９】同実施の形態において、変形例２に係る紙送り検知部を示す部分拡大斜視図である。
【図１０】同実施の形態において、図９に示す紙送り検知部の動作を説明するための第１の部分拡大斜視図である。
【図１１】同実施の形態において、図９に示す紙送り検知部の動作を説明するための第２の部分拡大斜視図である。
【図１２】従来の紙送り検知装置を示す第１の部分拡大側面図である。
【図１３】従来の紙送り検知装置を示す第２の部分拡大側面図である。
【符号の説明】
【００３７】
１  紙送り検知部、３  接触子、３ａ  接触部、３ｂ  遮光部、５  軸、７  光学センサ本体部、７ａ  発光部、７ｂ  受光部、９  支持体部、１１  ねじりコイルバネ、１３，１６  リブ、１４  ストッパ、１５  突部、２０  レーザプリンタ装置、２１  筐体、２２  感光体、２３  カートリッジ、２４  レーザスキャニングユニット、２５  定着ユニット、２６  給紙口、２７  排紙口、３０  用紙。
【図１】
2007238204.tif 000003
【図２】
2007238204.tif 000004
【図３】
2007238204.tif 000005
【図４】
2007238204.tif 000006
【図５】
2007238204.tif 000007
【図６】
2007238204.tif 000008
【図７】
2007238204.tif 000009
【図８】
2007238204.tif 000010
【図９】
2007238204.tif 000011
【図１０】
2007238204.tif 000012
【図１１】
2007238204.tif 000013
【図１２】
2007238204.tif 000014
【図１３】
2007238204.tif 000015